(57)【要約】【課題】バンドの傾き調整作業容易化を図る。【解決手段】バンド調整具１は鉄のような金属からなる帯状に形成された板状の把持体２の端部４に突起６；８を備え、例えば、遊技盤２１にバンド釘２２で固定されたバンド２３の一端部を内側（遊技盤２１における遊技領域に近い方向）に倒す場合、作業者がバンド調整具１の支持部３を手で持ち、突起６がバンド２３の一端部の内側で下部に位置するように、突起８がバンド２３の一端部の外側で上部に位置するように、１組の突起６；８を遊技盤２１にバンド釘２２で固定されたバンド２３の一端部に係留した後、作業者がバンド調整具１の支持部３に力を矢印Ｘ１で示すように下向きに与えることによって、下部の突起６を支点とし、上部の突起８を作用点として、バンド調整具１がバンド釘２２およびバンド２３の一端部を内側に傾ける。【選択図】　　　　図２
2004016655.tif 000002
【特許請求の範囲】
【請求項１】
帯板状の把持体の端部に支点となる突起と作用点となる突起とをパチンコ機の遊技盤にバンド釘で固定されたバンドの一端部の上下に係留し得る間隔を以って備えたことを特徴とするパチンコ機のバンド調整具。
【請求項２】
支点となる突起と作用点となる突起とを把持体の両端部に設け、一方の端部に設けた支点となる突起と作用点となる突起とをバンドを内側に倒す部分とし、他方の端部に設けた支点となる突起と作用点となる突起とをバンドを外側に倒す部分としたことを特徴とする請求項１記載のパチンコ機のバンド調整具。
【発明の詳細な説明】
【０００１】
【発明の属する技術分野】
本発明はパチンコ機の遊技盤にバンド釘で固定されたバンドの傾きを調整するバンド調整具に関する。
【０００２】
【従来の技術】
図６は従来の遊技機枠２５の内部に遊技主体である遊技盤２１を格納したパチンコ機の正面を示し、遊技盤２１の前面である意匠盤面にはガイドレールと呼ばれるバンド２３が取り付けられている。バンド２３で囲まれた内側の部分が球の飛び交う遊技領域２４である。
【０００３】
【発明が解決しようとする課題】
しかしながら、遊技盤２１にバンド釘２２で固定されたバンド２３の一端部は遊技機枠２５に設けられた球発射機構２６から発射された球が乗り移る最初の地点であるので、遊技店の島と呼ばれるような遊技機設置設備にパチンコ機が取り付けられた状態において、遊技機枠２５の図外のパネル枠のような前面化粧体または皿装置２７を前側に片開きしたまま、作業者がバンド釘２２を図外のハンマーで矢印Ｙ１；Ｙ２で示す横方向から叩いてバンド２３の一端部の傾きを調整しているが、バンド釘２２が開放された皿装置２７に近い配置となることから、傾き調整の作業が面倒であるという問題点があった。ところで、特開２００１−２１８９０５号公報には遊技盤に角度調整装置を設け、角度調整装置の操作部を回転操作することによってバンドの遊技盤に対する傾きを調整することが開示されているが、角度調整装置が遊技盤に埋め込まれて固定される基部と、基部に回転可能に取り付けられた操作部と、操作部と一緒に回転するように取り付けられているとともにバンドに結合された連結部とを備えた複雑な構造であるうえ、遊技盤にバンド釘で固定されたバンドの一端部に角度調整装置を取り付けるのは困難であるので、にわかに採用しがたいものである。
【０００４】
そこで、本発明は遊技盤にバンド釘で固定されたバンドの一端部の傾き調整作業の容易化を図ることができる構造の簡単なパチンコ機のバンド調整具を提供するものである。
【０００５】
【課題を解決するための手段】
本発明にあっては、帯板状の把持体の端部に支点となる突起と作用点となる突起とをパチンコ機の遊技盤にバンド釘で固定されたバンドの一端部の上下に係留し得る間隔を以って備えたことによって、遊技機枠におけるパネル枠のような前面化粧体または皿装置が前側に片開きされたまま、遊技盤にバンド釘で固定されたバンドの一端部が開放された前面化粧体または皿装置に近い配置となったことから、バンドの傾きを調整する部分の周囲が狭い隙間であっても、把持体における突起を備えた端部を上記隙間に適切に挿入することができ、突起を遊技盤にバンド釘で固定されたバンドの一端部に係留して、遊技盤に対するバンド釘およびバンドの一端部の傾きを容易に調整することができる。しかも、支点および作用点となる突起が遊技盤にバンド釘で固定されたバンドの一端部の上下に係留し得る間隔になっているので、支点となる突起を遊技盤にバンド釘で固定されたバンドの一端部の下部に係留し、作用点となる突起を遊技盤にバンド釘で固定されたバンドの一端部の上部に係留することによって、把持体に与える調整力が小さくても、遊技盤に対するバンド釘およびバンドの一端部の傾きを適切に調整することができる。また、本発明にあっては、支点となる突起と作用点となる突起とを把持体の両端部に設け、一方の端部に設けた支点となる突起と作用点となる突起とをバンドを内側に倒す部分とし、他方の端部に設けた支点となる突起と作用点となる突起とをバンドを外側に倒す部分とすれば、遊技盤にバンド釘で固定されたバンドの一端部に対する把持体の両端部をバンドの一端部の内側または外側への傾き調整に使い分けることができる。
【０００６】
【発明の実施の形態】
図１から図３は第１実施形態であって、図１はバンド調整具１の外観を示し、図２および図３はバンド調整具１の使い方を示す。図２および図３において、ｂ図はａ図を矢印Ｂ方向から見た形態を模式的に示す。
【０００７】
図１を参照し、バンド調整具１について説明する。バンド調整具１は鉄のような金属からなる帯状に形成された板状の把持体２を備える。把持体２は中央の細い支持部３と幅広で平坦な両端部４；５とを備える。両端部４；５における平坦面には鉄のような金属からなる支点となる突起６；７と鉄のような金属からなる作用点となる突起８；９とをパチンコ機の遊技盤２１にバンド釘２２で固定されたバンド２３の上下に係留し得る間隔を以って備える。一方の端部４では突起６；８が当該端部４の短い縁に沿うように配置され、他方の端部５では突起７；９が当該端部５の長い縁に沿うように配置される。一方の端部４には把持体２に突起６〜９を設けた形態のバンド調整具１に全体的に電解メッキを施すための貫通孔１０を備える。具体的には、バンド調整具１が把持体２に突起を設けた形態に作られた後、貫通孔１０に図外の電気メッキ装置における電極であるハンガーの弧状のフックを通すことによって、バンド調整具１を電気メッキ装置のハンガーで支持したまま、バンド調整具１を電気メッキ装置のメッキ槽のメッキ液に浸し、電気メッキ装置を駆動することによって、バンド調整具１に全体的に電解メッキを施すことができる。
【０００８】
第１実施形態のバンド調整具１の使い方について図２および図３を参照しつつ説明する。遊技盤２１にバンド釘２２で固定されたバンド２３の一端部を内側（遊技盤２１における図６に示す遊技領域２４に近い方向）に倒す場合、図２のａ図に示すように、作業者がバンド調整具１の支持部３を手で持ち、バンド調整具１の支点である突起６がバンド２３の一端部の内側で下部に位置するように、バンド調整具１の作用点である突起８がバンド２３の一端部の外側で上部に位置するように、バンド調整具１における一方の端部４の１組の突起６；８を遊技盤２１にバンド釘２２で固定されたバンド２３の一端部に係留する。そして、図２のｂ図に示すように、作業者がバンド調整具１の支持部３に力を矢印Ｘ１で示すように下向きに与えることによって、下部の突起６を支点とし、上部の突起８を作用点として、バンド調整具１がバンド釘２２およびバンド２３の一端部を内側に傾けることができる。
【０００９】
遊技盤２１にバンド釘２２で固定されたバンド２３の一端部を外側に倒す場合、図３のａ図に示すように、作業者がバンド調整具１の支持部３を手で持ち、バンド調整具１の支点である突起７がバンド２３の一端部の外側で下部に位置するように、バンド調整具１の作用点である突起９がバンド２３の一端部の内側で上部に位置するように、バンド調整具１における他方の端部５の１組の突起７；９を遊技盤２１にバンド釘２２で固定されたバンド２３の一端部に係留する。そして、図３のｂ図に示すように、作業者がバンド調整具１の支持部３に力を矢印Ｘ２で示すように上向きに与えることによって、下部の突起７を支点とし、上部の突起９を作用点として、バンド調整具１がバンド釘２２およびバンド２３の一端部を外側に傾けることができる。
【００１０】
第１実施形態の構造によれば、把持体２における板状の両端部４；５に支点となる突起６；７と作用点となる突起８；９とを備えたので、図６に示す遊技機枠２５におけるパネル枠のような前面化粧体または皿装置２７が前側に片開きされたまま、遊技盤２１にバンド釘２２で固定されたバンド２３の一端部が開放された皿装置２７に近い配置となったことから、バンド２３の傾きを調整する部分の周囲が狭い隙間であっても、把持体２における突起６；８を備えた一方の端部４または突起７；９を備えた他方の端部５が上記隙間に適切に挿入でき、１組の突起６；８または別の１組の突起７；９を遊技盤２１にバンド釘２２で固定されたバンド２３の一端部に係留して、遊技盤２１に対するバンド釘２２およびバンド２３の一端部の傾きを容易に調整することができる。
【００１１】
また、支点および作用点となる１組の突起６；８または支点および作用点となるもう１組の突起７；９が遊技盤２１にバンド釘２２で固定されたバンド２３の一端部の上下に係留し得る間隔を以っているので、支点となる突起６；７が遊技盤２１にバンド釘２２で固定されたバンド２３の一端部の下部（遊技盤２１に近い側）に係留し、作用点となる突起８；９が遊技盤２１にバンド釘２２で固定されたバンド２３の一端部の上部（遊技盤２１から遠い側）に係留することによって、把持体２に与える調整力が小さくて済み、遊技盤２１に対するバンド釘２２およびバンド２３の一端部の傾きを適切に調整することができる。
【００１２】
図４は第２実施形態に係るバンド調整具１の外観を示す。第１実施形態のバンド調整具１は両端部４；５に突起６〜９を設けて、両端部４；５をバンド２３の一端部の内側または外側への傾き調整に使い分けたのに対し、第２実施形態はバンド調整具１の一方の端部４に３個の突起１１；１２；１３を設け、図２の遊技盤２１にバンド釘２２で固定されたバンド２３の一端部を内側に倒す場合には、突起１１を図２の突起６と同様に支点としてバンド２３の一端部の内側で下部に位置するように係留し、突起１２を図２の突起８と同様に作用点としてバンド２３の一端部の外側で上部に位置するように係留して、バンド２３の一端部を内側に傾くように調整する一方、図３の遊技盤２１にバンド釘２２で固定されたバンド２３の一端部を外側に倒す場合には、突起１２を図３の突起７と同様に支点としてバンド２３の一端部の外側で下部に位置するように係留し、突起１３を図３の突起９と同様に作用点としてバンド２３の一端部の内側で上部に位置するように係留して、バンド２３の一端部を外側に傾くように調整する。
【００１３】
図５は第３実施形態に係るバンド調整具１の外観を示す。第２実施形態は突起１１〜１３を設けた端部４を支持部３から固定的に延設したのに対し、第３実施形態はバンド調整具１の一方の端部４と支持部３とをそれぞれ別体となるように分割し、端部４に２個の突起１４；１５を設ける一方、端部４と支持部３とを角度調整具１６で結合し、端部４と支持部３との挟角を変更することによって、２個の突起１４；１５を支点と作用点とに交互に使い分けることによって、バンド２３の一端部を内側または外側に傾くように調整する。角度調整具１６はボルトの六角形のような異形をした頭部に相当する部分を例えば支持部３に固定的に設け、角度調整具１６の当該ボルトの異形頭部に相当する部分を端部４に形成した六角形のような異形孔１７に嵌め込むことによって、端部４と支持部３との挟角を変更することができるようになっている。異形は角度調整具１６の異形頭部が端部の異形孔とが嵌め合わされることによって、端部４と支持部３とが互いに回転しないように連結される形であればよいので、六角形以外の角形または半月形などでも同様に適用できるが、半月形よりも三角形、三角形よりも四角形、四角形よりも五角形、五角形よりも六角形、六角形よりも七角形と多角形のほうが選べる端部４と支持部３との挟角の角度が多くなる。
【００１４】
図１と図４および図５に仮想線で示すように、バンド調整具１がバンド傾き調整に使用される場合における遊技盤２１の遊技領域２４（図６参照）の設けられる側の意匠盤面に近くなる端部４；５の縁部にゴムまたは弾性に富む合成樹脂からなる緩衝部材１８を突設すれば、バンド傾き調整中に端部４；５が遊技盤２１の意匠盤面に接触するほどに近づいても、端部４；５が遊技盤２１の意匠盤面に接触せず、緩衝部材１８が遊技盤２１の意匠盤面に接触するので、遊技盤２１の意匠盤面を保護することができる。緩衝部材１８は端部４；５の縁部に接着または嵌め込みあるいはインサート成形で結合される。インサート成形の場合、緩衝部材１８を形成する成形型の内部にバンド調整具１をインサート部材として装着し、当該バンド調整具１と成形型の内部との間に形成された成形空間に緩衝部材１８の成形材料を注入して緩衝部材１８を形成することによって、成形された緩衝部材１８が端部４；５に結合した形態となる。
【図面の簡単な説明】
【図１】第１実施形態のバンド調整具を示す斜視図。
【図２】第１実施形態のバンド調整具の使い方を示し、ａ図は斜視図、ｂ図はａ図の矢印Ｂ方向からの模式図。
【図３】第１実施形態のバンド調整具の別の使い方を示し、ａ図は斜視図、ｂ図はａ図の矢印Ｂ方向からの模式図。
【図４】第２実施形態のバンド調整具を示す斜視図。
【図５】第３実施形態のバンド調整具を示す斜視図。
【図６】従来のパチンコ機を示す正面図。
【符号の説明】
１　バンド調整具
４；５　端部
６〜９　突起
２１　遊技盤
２２　バンド釘
２３　バンド
【図１】
2004016655.tif 000003
【図２】
2004016655.tif 000004
【図３】
2004016655.tif 000005
【図４】
2004016655.tif 000006
【図５】
2004016655.tif 000007
【図６】
2004016655.tif 000008